(57)【要約】  【課題】ハート型模様を備え、写される人を楽しませる撮影器を提供する。  【解決手段】撮影レンズ２を備え、内部に配設した記録部材に被写体を記録する撮影器において、撮影器本体１の撮影レンズ２の周囲または被写体側に面している部分に人気キャラクター、またはハート型の模様の表示部３を発光素子（ＬＥＤ４）などで配列してある撮影器、または電子通信機能を内蔵した携帯電話した構成で、撮影される側に緊張感を和ませることができる撮影器の構成である。【選択図】              図１ 
0003110468.tif 000002
【実用新案登録請求の範囲】
【請求項１】
撮影レンズを備え、内部に配設した記録部材に被写体を記録する撮影器において、
撮影器本体の撮影レンズの周囲または被写体側に面している部分に人気キャラクター、またはハート型の模様の表示部を配置してあることを特徴とする撮影器。
【請求項２】
撮影レンズを備え、内部に配設した記録部材に被写体を記録する撮影器において、
撮影器本体の撮影レンズの周囲または被写体側に面している部分に人気キャラクター、またはハート型の模様の電飾表示部を配置し、電話通信機能を備えた撮影レンズ付き携帯電話であることを特徴とする撮影器。
【請求項３】
前記撮影レンズから入射した被写体像を記録する記録部材が電子部品であることを特徴とする請求項１または請求項２に記載の撮影器。
【請求項４】
前記撮影レンズから入射した被写体像を記録する記録部材がハロゲン化銀感光材料であることを特徴とする請求項１または請求項２に記載の撮影器。
【請求項５】
撮影レンズを備え、内部に配設した記録部材に被写体を記録する撮影器において、
撮影器本体の撮影レンズの周囲または被写体側に面している部分に人気キャラクター、またはハート型の模様の表示部を配置し、この前記表示部が複数個の発光素子を配置してある電飾部品から構成されていることを特徴とする撮影器。
【考案の詳細な説明】
【技術分野】
【０００１】
この考案は、被写体側に面してプチ模様を備え、撮影される人に注意を喚起する撮影器に関する。
【背景技術】
【０００２】
従来から撮影器である小型カメラにおいて、カメラの所有者の趣味感を満足させるための、装飾品が取り付けられたカメラ等は多く販売されている。これらは撮影者や所有者の満足感を満たすものである。例えば、ボディの色、カメラのアクセサリーなどである。撮影器であるカメラに写される被写体を対象にしたアクセサリーなどはなかった。
ただ、フラッシュ撮影時に被写体に注意を喚起するために発光体を点滅したり、並べられた発光体を順次移動させて被写体に注意を惹起するものなどもあった。
【０００３】
【特許文献１】実公平７−２０７０５号公報
【特許文献２】特開２００３−２７０６９２号公報
【０００４】
特許文献１は、発光素子を配列し、模様状に発光素子を点滅する表示装置である。このような表示装置は店頭などのショウウインドウ、多くの人が集まる会場に設置する表示装置であって、撮影器に使用するものではない。
また特許文献２は、撮影器の前面にフラッシュ撮影を知らしめる発光部材が図面に示されているが、一般的な形状が記載されている。
これら公知の技術は、被写体側に発光体を丸形にしたり、発光素子を点滅させて撮影することを被写体に知らしめるための表示灯を設けたもので、楽しい絵柄のものはなかった。これら従来の撮影器の被写体側に設けられた表示部分は、通常の形のものが多かった。例えば、円形（丸）に発光するもの、点状に点滅するものなどであった。
【考案の開示】
【考案が解決しようとする課題】
【０００５】
本考案は、被写体がカメラのレンズを見るのではなく、キャラクターやハート型などの楽しい絵柄を見ながら撮影ができる撮影器を提供する。
本考案の課題は、所有者や撮影者を喜ばせるのではなく、被写体を喜ばせる発光体を備える撮影器を提供するものである。
特に、本考案の課題は若者達に人気のあるハート型に配列したＬＥＤ発光素子の電飾を備えた撮影器を提供するものである。
【課題を解決するための手段】
【０００６】
本考案は、前記課題を達成するために以下の構成にした。
撮影レンズを備え、内部に配設した記録部品に被写体を記録する撮影器において、撮影レンズの周囲または被写体側に面している部分に人気キャラクター、またはハート型の模様の表示部を配置してある撮影器の構成である。
また前記課題は、電話通信機能を備え、撮影レンズを配設し、内部に記録部材を有する撮影レンズ付携帯電話である撮影機の構成によって達成できる。
【０００７】
前記本考案の課題は、撮影レンズから入射した被写体像を記録する記録部材が電子部品である撮影器の構成、又は、被写体像を記録する記録部材がハロゲン化銀感光材料である撮影器の構成、更に、前記表示部が複数個の発光素子を配置してある電飾部品から構成されている撮影器によって達成できる。
【０００８】
本考案の前記課題は、撮影器に装填される記録部材として電子メモリーが一般的に利用されるが、従来のハロゲン化銀感光材料、感熱材料を使用しても達成できる。
本考案の撮影器は、撮影器本体の被写体側に配設した人気キャラクターやハート型の模様を配設し、この模様部分が撮影時に発光するように構成してあると好ましい。特に、撮影器のシャッターを操作する前に発光素子を点滅させる。または、撮影器のシャッター機構に連動して発光素子を点滅するようにしても良い。
【考案の効果】
【０００９】
本考案の撮影器は、被写体を撮影するときに撮影器本体の被写体側にハート型などの模様が点滅するから被写体が撮影されるという緊張感を和ませることができる。
また、本考案の撮影器によれば、若年の子供たちの注意を喚起するのにも効果的である。
更に、ハート型のピンク模様の発光体を発光させることにより、高校生などの若い女性に好まれる撮影器となる。
【考案を実施するための最良の形態】
【００１０】
以下、本考案に係る撮影器の実施形態について図面を参照して詳述する。
図１は本考案に撮影機の実施形態の斜視図である。図２は本考案撮影器の第２の実施形態の斜視図である。図３は第３の実施形態の斜視図である。
【００１１】
本考案の撮影器は、撮影器の本体１（図１では携帯電話）のレンズ２の周囲にハート型の模様の表示部３を備えている。この表示部３として発光素子の赤色ＬＥＤ４を配列したものである。このＬＥＤ４は赤色に限らず好みに応じた発光体を使用することができる。また、ハート型の着色板の周囲に複数のＬＥＤを配置してあっても良い。
最近のＬＥＤ発光素子として小さいものがあり、一個の電球内に三色の発光素子を埋設したものを使用すると複数の色彩を発光させることができる。
【００１２】
このＬＥＤ４は写真撮影をするとき、被写体にレンズを向けてシャッターを押す前に発光させると効果的である。被写体に注意を喚起することができる。表示部３の模様がハート型であると緊張感がほぐれて、良い表情で撮影されることになる。この場合、電気回路でシャッターに連動するように設計することもできる。
【００１３】
図２は被写体側のレンズ２周り以外の場所に表示部３を配置した実施形態である。
本考案の撮影器としては携帯電話に限らず、通常の小型カメラ、デジタルカメラ、ビデオカメラ、一眼レフカメラ等に配設する。特に、カメラボディのアクセサリーとしての効果がある。
【００１４】
本考案撮影器は、若年者に人気のある模様を配列すると特に好ましい。点滅させる発光素子については数種類色彩の異なる発光素子の組み合わせでアニメーション模様を演出することもできる。
【図面の簡単な説明】
【００１５】
【図１】本考案に撮影機の携帯電話の実施形態の斜視図である。
【図２】本考案撮影器の第２の実施形態の斜視図である。
【図３】本考案撮影器の第３の実施形態の斜視図である。
【図４】本考案撮影器の第４の実施形態の斜視図である。
【図５】本考案撮影器の第５の実施形態の斜視図である。
【符号の説明】
【００１６】
１      撮影器本体
２      撮影レンズ
３      表示部
４      ＬＥＤ
【図１】
0003110468.tif 000003
【図２】
0003110468.tif 000004
【図３】
0003110468.tif 000005
【図４】
0003110468.tif 000006
【図５】
0003110468.tif 000007